(57)【特許請求の範囲】
【請求項１】
表裏面と複数の側面とで形成され、該側面の夫々に独立した開口部を開閉自在に備え、該開口部の夫々に独立した収納部を備えた小物入れ具において、開口部を挟んで表面と裏面とに跨る装飾部材を備え、該装飾部材を一方の面の中央部の位置に設けた支点に回転自在に取着し、
他方の面の夫々の開口部近くの位置に前記装飾部材の受け具を備え、該受け具に前記装飾部材の他端を着脱自在に取付けることを特徴とする小物入れ具。
【請求項２】
表面及び／又は裏面に装飾部材としてポケットを備えたことを特徴とする請求項１記載の小物入れ具。
【発明の詳細な説明】
【技術分野】
【０００１】
本発明は、縫製して形成した小物入れ具に管理機能を備えたことに関するものである。
【背景技術】
【０００２】
物を入れる道具の中でも小物入れ具は、小物を収納することができる利点があるので
ひとまとめに集約することにおいては実用的である。
【０００３】
しかし、取り出すときは選別しなければならず収納部に仕切りを設ける必要がある。特許文献１において、袋体に複数の開閉自在の開口部を設け、この開口部を区分する仕切りを形成し、それぞれ独立した収納部とした技術が提案されている。しかし、袋体であり構造においても内容物を管理する機能を備えたものではない。
【先行技術文献】
【特許文献】
【０００４】
【特許文献１】特開平６−０９２３６１号公報
【発明の概要】
【発明が解決しようとする課題】
【０００５】
解決しようとする問題点は、縫製して形成した小物入れ具において管理機能が備わっていない点である。
【課題を解決するための手段】
【０００６】
本発明は、縫製して形成した小物入れ具において、側面の夫々に独立した開口部を開閉自在に備えて夫々の開口部に独立した収納部を備え、該開口部の管理機能を備えて内容物の管理と確認ができることを最も主要な特徴とする。
【０００７】
小物入れ具を表裏面と複数の側面とで形成し、該側面の夫々に独立した開口部を開閉自在に備え、該開口部の夫々に独立した収納部を備えて装飾部材の一端を表面の中央部の位置に設けた支点に回転自在に取着し、裏面の夫々の開口部近くの位置に装飾部材の受け具を備え、該受け具に装飾部材の他端を着脱自在に取付ける構成とした。さらに、管理機能として、表面及び／又は裏面にサイドポケットを備える。さらにまた、夫々の側面及び／又は表裏面の色彩が違うことで夫々の開口部の位置を確認できるものとし、必要により夫々の開口部を備えた側面を一本のファスナーで包み込み、該ファスナーを開閉することで必然的に開口部の順番が設定されるように構成する。
【発明の効果】
【０００８】
本発明の小物入れ具は、側面の夫々に独立した開口部を開閉自在に備え、該開口部の夫々に独立した収納部を備えて装飾部材の一端を表面の中央部の位置に設けた支点に回転自在に取着し、裏面の夫々の開口部近くの位置に装飾部材の受け具を備え、該受け具に装飾部材の他端を着脱自在に取付けることで装飾とすると共に、順次受け具に付け替えることで開口部を管理し、また、サイドポケットを付けることも、さらにまた、カラフルな色彩で色分けしておしゃれグッツとし、ごく一般的な小物入れ具として利用することができると共に、これらの装飾部材は特に薬を入れて服用管理具として利用するための機能としても同様に兼ね備えており、順次開口部を指示し収納物の取り出しができてその取り出しの確認もできるという利点がある。
【図面の簡単な説明】
【０００９】
【図１】図１は縫製して形成した小物入れ具を示した斜視図である。（実施例１）
【図２】図２のイ図は小物入れ具に装飾部材を取り付けた裏面の斜視図である。ロ図は小物入れ具に装飾部材を取り付けた表面の斜視図である。（実施例２）
【図３】図３のイ図は。（実施例２）にサイドポケットを取り付けた小物入れ具を示した斜視図である。（実施例３）ロ図は装飾部材の変形を取り付けた小物入れ具を示した斜視図である。（実施例４）ハ図は夫々の側面を一本のファスナーで包み込んだ小物入れ具を示した斜視図である。（実施例５）
【発明を実施するための形態】
【００１０】
複数の開閉自在な開口部と、夫々の開口部に独立した収納部を備え、該開口部に管理機能を備えて内容物の管理と確認ができる小物入れ具としてコンパクトに実現した。
【実施例１】
【００１１】
図１は、本発明の小物入れ具の実施例１の斜視図であって、角が円みをおびた概三角形の小物入れ具Ａの表面１とその側面２・・・に設けられた開口部３・・・であり、該開口部３の夫々に独立した収納部を備えて形成する。
【実施例２】
【００１２】
図２においてイ図は、小物入れ具Ａの裏面１１とその側面２・・・に設けられた開口部３・・・であり、該開口部３・・・の夫々に独立した収納部を３層に重ねて備え、開口部３・・・の夫々の近くの位置に鉤ホック５１・・・を備え、装飾部材４としての帯体４１端部に備えたホック受け金５２で着脱自在に取り付ける。
【００１３】
図２においてロ図は、小物入れ具Ａの表面１とその側面２・・・に設けられた開口部３・・・であり、表面１の中央部に備えた鉤ホック５１に装飾部材４の端部に備えたホック受け金５２を取り付け、該鉤ホック５１を支点に回転自在に取着して裏面の鉤ホック５１・・・を順次移動することで今回又は次回に開閉する開口部３・・・を指定することも、また、確認することもできる。
【実施例３】
【００１４】
図３においてイ図は、小物入れ具Ａの裏面１１とその側面２・・・に設けられた開口部３・・・であり、裏面１１に備えた鉤ホック５１に装飾部材４の端部に備えたホック５を取り付けた状態を示し、該裏面１１にサイドポケット７を備えることで収納部を１個増し、デザイン効果を高めてさらに表裏面を判別することができる。なお、サイドポケット７は擬似ポケットであってもよく、また、ラインであってもよく、サイドポケット７を備えた場合は装飾部材４を取り付けなくてもよく、また、取り付けてもよく、また、サイドポケット７は裏面１１だけではなく表面１であってもよい。さらにまた、夫々の開口部３・・・の内部に補助の収納部を設けることも可能である。
【実施例４】
【００１５】
図３においてロ図は、角が円みをおびた概四角形の小物入れ具Ａの表面１とその側面２・・・に設けられた開口部３・・・であり、裏面１１に備えたボタン５３に装飾部材４としての紐体４２端部に備えたボタン穴にボタン５４を嵌め込んだ状態を示し、該ボタン５４を支点に回転自在に取着し、裏面１１の開口部近くの位置に備えた４個のボタン５３・・・を、紐体４２端部に備えたボタン穴に嵌め込んで順次移動することで今回又は次回に開閉する開口部３・・・を指定することも、また、確認することもできる。
【実施例５】
【００１６】
図３においてハ図は、角が円みをおびた概四角形の小物入れ具Ａの表面１と、その側面２・・・に設けられた開口部３・・・を一本のファスナー６で包み込んだ状態を示し、６１はファスナーの下止めであり、６２は上止めであり、６３はスライダーである。表面１を上向きにファスナー６は時計回りに閉じ、ファスナー６を開けながら開口部３を開ける利用の仕方を示したものであるがこれに限定するものではなく、開ける方向又は閉じる方向を決定して順次開閉することで開口部３・・・を指定し、また、確認することができる。  
【００１７】
なお、上述した小物入れ具Ａの素材としては、天然皮革又は人工皮革でもよく、また、天然繊維又は化学繊維であってもよく特に限定するものではない。また、開口部３・・・の口金においても、ファスナーであってもよく、面ファスナーであってもよく、また、バネ口金であってもよく、玉口金であってもよく特に限定するものではない。また、装飾部材においても鎖であってもよく、支点を軸に回転し開口部に被せるカバーであってもよい。
【００１８】
また、夫々の側面及び／又は表裏面の色彩を変えることで表裏面を判別し、表裏面が分かることで夫々の側面に備えた開口部の順番を確認し、右回り又は左回りに順次進むことができる。このように小物入れ具に管理機能を備えることでプラスチックなどの管理容器とは異なり、携帯用としての利用は勿論のこと、どこにおいても邪魔にならず身近な所に目立つように置いて確実に服用を繰り返すことができる。
【００１９】
このように、ごく一般的な小物入れ具としての利用から少なくても３か所の収納部を備えることで朝、昼、夜の薬を収納することができるので、服用管理機能を兼ね備えた小物入れ具として薬の確実な服用とその管理に大いに役立つ。
【産業上の利用可能性】
【００２０】
小物を収納する用具としての利用は勿論、管理機能を備えたことで薬の服用管理具としての用途にも利用できる。
【符号の説明】
【００２１】
１        表面      １１    裏面
２・・・  側面
３・・・  開口部
４        装飾部材    ４１    帯    ４２    紐
５        ホック    ５１    鉤フック    ５２    受け金    ５３    ボタン
６        ファスナー    ６１    下止め    ６２    上止め    ６３    スライダー
７        サイドポケット
【要約】
【課題】小物入れ具に内容物を管理する管理機能を備える。
【解決手段】小物入れ具を表裏面と複数の側面とを縫製して形成し、該側面の夫々に独立した開口部を開閉自在に備え、該開口部の夫々に独立した収納部を備え、装飾部材の一端を表面の中央部の位置に設けた支点に回転自在に取着し、裏面の夫々の開口部近くの位置に前期装飾部材の受け具を備え、該受け具に前記装飾部材の他端を着脱自在に取付ける。
【選択図】図１【図１】
0005756222.tif 000002
【図２】
0005756222.tif 000003
【図３】
0005756222.tif 000004